(57)【要約】【課題】容易にパンツ類のウエストサイズを調整することができ、そして、前立てが拡開したとき、確実に下着を隠すことができ、さらには、簡易な構成によりコストを抑えることができるパンツ類のウェストサイズ調整補助具を提供する。【解決手段】伸縮ベルト１１とカバー１２とからなるウェストサイズ調整補助具１０の伸縮ベルト１１をジーンズパンツやスラックス等のパンツ４０の前立て４１に取り付けることにより、ウェストサイズを拡張することができる。このとき、バックル１７に通した第１ベルト１５と第２ベルト１６の長さを調節することにより、所定のウェストサイズに調節することが容易にできる。また、パンツ４０の前立て４１に伸縮ベルト１１を取り付けたとき、カバー１２のフロントガード片３２を拡開した前立て４１から露出する露出部４２に重ね合わせることにより、当該露出部４２を覆い隠すことができる。【選択図】図１
0003146031.tif 000002
【実用新案登録請求の範囲】
【請求項１】
パンツ類の前立て部分の一側上端部に設けたパンツ側係止具と前記前立て部分の他側上端部に設けられ前記パンツ側係止具を着脱可能に係止するパンツ側被係止部との間に取り付けて前立て部分の拡開によりパンツ類のウエストサイズを拡張する伸縮ベルトと、
拡開した前立て部分から露出する露出部を覆い隠すため着用する上下両端を開口にした袋状のカバーとからなるパンツ類のウエストサイズ調節補助具であって、
前記伸縮ベルトが、一端に前記パンツ側被係止部に着脱可能に係止されるベルト側係止具を設けた第１ベルトと、
一端に前記パンツ側係止具に着脱可能に係止されるベルト側被係止部を設けた第２ベルトと、外周枠と外周枠内に設けた互いに平行な第１軸と第２軸を有するバックルから成り、
前記第１ベルトの他端を外周枠の裏側から第１軸と第２軸の間に挿通し、第１軸で折り返し外周枠の下に潜らせて外周枠の外側で第１ベルトの中間部に重ね合わせ、
前記第２ベルトの他端を、外周枠の裏側から第１軸と第２軸の間に挿通し、第２軸で折り返し外周枠の下に潜らせて外周枠の外側で第２ベルトの中間部に重ね合わせることにより伸縮ベルトの全長を伸縮自在に構成したことを特徴とするパンツ類のウエストサイズ調整補助具。
【請求項２】
パンツ類の前立て部分の一側上端部に設けたパンツ側係止具と前記前立て部分の他側上端部に設けられ前記パンツ側係止具を着脱可能に係止するパンツ側被係止部との間に取り付けて前立て部分の拡開によりパンツ類のウエストサイズを拡張する伸縮ベルトと、
拡開した前立て部分から露出する露出部を覆い隠すため着用する上下両端を開口にした袋状のカバーとからなるパンツ類のウエストサイズ調節補助具であって、
前記カバーが伸縮性を有する布地からなり、前身ごろの下端に略逆三角形状のフロントガード片を連続形成し、該前身ごろの身丈を、後身ごろの身丈よりも長くして、
前記露出部を前記フロントガード片で覆い隠すようにしたことを特徴とするパンツ類のウエストサイズ調整補助具。
【請求項３】
前記カバーの前身ごろ裏面にポケットを形成したことを特徴とする請求項１若しくは請求項２に記載のパンツ類のウェストサイズ調整補助具。
【考案の詳細な説明】
【技術分野】
【０００１】
本考案は、妊婦の体形変化に合わせてジーンズパンツ、スラックス等のパンツ類のウエストサイズを自在に調節するウエストサイズ調整補助具に関する。
【背景技術】
【０００２】
従来、妊婦は、妊娠中期から臨月までの間、膨出した下腹部が不用意に圧迫されないようにマタニティドレスを着用する。一方、当該時期に至ると妊娠前に穿き慣れていたり、お気に入りであったジーンズパンツやスラックス等のパンツ類のウエスト部分が締まらなくなることから、それらお気に入りのパンツ類は着用することができなかった。
ここで、上記のマタニティドレスは、ウェスト部分に余裕を持たせたワンピーススカートであることが多く、デザインが画一的になりがちである。
しかし妊娠中期以降も、マタニティドレスといった画一的な服装ではなく、妊娠前に穿き慣れていたり、お気に入りであったパンツ類を着用して、様々なファッションを楽しみたいという要望がある。
また、妊娠前に穿き慣れていたパンツ類を妊娠時においても穿くことができれば、新たにマタニティドレスを購入しなくても良く、妊娠から出産にかかるコストを抑えることができる。
そこで、マタニティドレスではない上記のパンツ類を妊娠時にも着用できるようにするため、当該パンツ類のウエストサイズを拡張可能にしたベルトに関して下記のような発明が開示されている。
【０００３】
第１にオーストラリア連邦公開特許２００３１００７３２号公報に開示されているスライドファスナー（商品名ベリーベルト）は、伸縮性を備え、所定長さに形成された複数本のベルトと、上端部にベルト通し穴を形成した略矩形状の当布とからなり、当該ベルトは一端にフック等の係止具が形成され、他端に鳩目等の被係止具が形成されている。
そして、該ベルトの係止具をパンツ類の鳩目等の被係止具に係止し、該ベルトの被係止具をパンツ類のフック等の係止具に係止して、前記パンツ類のウェストサイズを拡張する。さらに、前記当布を前記パンツ類と下着との間に挟み込むことにより、拡開したパンツ類の前立て部分で下着が露出しないように構成されている。
第２に実用新案登録第３１２４１７６号公報に開示されている伸縮ベルトは、両端に係止具を形成した平ゴムからなるベルトと、上端部にベルト通し穴を形成した略矩形状の当布とからなる。
そして、前記ベルト通しに、前記ベルトを挿通すると共に、前記ベルトの係止具をパンツ類の被係止具に係止して、上記文献と同様にパンツ類のウェストサイズを拡張し、拡開した該パンツ類と下着との間に当布を配するように構成されている。
【特許文献１】オーストラリア連邦公開特許２００３１００７２３号公報
【特許文献２】実用新案登録第３１２４１７６号公報
【考案の開示】
【考案が解決しようとする課題】
【０００４】
しかしながら、上記の略矩形状の当布は、パンツ類と下着の間に挟んだだけであることから、動いたときに当布がズレて、拡開した前立て部分の露出部から下着が露出してしまうおそれがある。
また、上記のように当布をパンツ類と下着の間に挟む構造は、風が吹く等して上着が捲れた場合、パンツ類の前立て部分が拡開していることが、公衆に視認されやすい。そのため、上記ベルトの使用に対して抵抗感を生じさせるおそれがある。
【０００５】
さらに、上記のスライドファスナを構成するベルトは、伸縮性を備えているが、伸縮する範囲が狭いことから、複数本用意されたベルトのうち、妊娠時期や、ウェストサイズに合わせて所定長さのベルトを選択しなければならない。そのため、気軽に使用することができず、面倒である。
また、上記の伸縮ベルトを構成するベルトは平ゴムからなることから、それらのベルト自身が有する弾性力によって微調整することができる。一方、負荷をかけて当該ベルトが伸びきった場合、該ベルトの復原力によりウェスト部分が強く締め付けられるおそれがある。
【０００６】
したがって、上記の課題を解決しようとなされた本考案は、容易にパンツ類のウエストサイズを調整することができ、そして、前立てが拡開したとき、確実に下着を隠すことができ、さらには、簡易な構成によりコストを抑えることができるパンツ類のウェストサイズ調整補助具を提供することを目的とする。
【課題を解決するための手段】
【０００７】
請求項１に記載のパンツ類のウェストサイズ調整補助具は、パンツ類の前立て部分の一側上端部に設けたパンツ側係止具と前記前立て部分の他側上端部に設けられ前記パンツ側係止具を着脱可能に係止するパンツ側被係止部との間に取り付けて前立て部分の拡開によりパンツ類のウエストサイズを拡張する伸縮ベルトと、拡開した前立て部分から露出する露出部を覆い隠すため着用する上下両端を開口にした袋状のカバーとからなるパンツ類のウエストサイズ調節補助具であって、
前記伸縮ベルトが、一端に前記パンツ側被係止部に着脱可能に係止されるベルト側係止具を設けた第１ベルトと、一端に前記パンツ側係止具に着脱可能に係止されるベルト側被係止部を設けた第２ベルトと、外周枠と外周枠内に設けた互いに平行な第１軸と第２軸を有するバックルから成り、前記第１ベルトの他端を外周枠の裏側から第１軸と第２軸の間に挿通し、第１軸で折り返し外周枠の下に潜らせて外周枠の外側で第１ベルトの中間部に重ね合わせ、前記第２ベルトの他端を、外周枠の裏側から第１軸と第２軸の間に挿通し、第２軸で折り返し外周枠の下に潜らせて外周枠の外側で第２ベルトの中間部に重ね合わせることにより伸縮ベルトの全長を伸縮自在に構成したことを特徴とする。
【０００８】
請求項２に記載のパンツ類のウェストサイズ調整補助具は、パンツ類の前立て部分の一側上端部に設けたパンツ側係止具と前記前立て部分の他側上端部に設けられ前記パンツ側係止具を着脱可能に係止するパンツ側被係止部との間に取り付けて前立て部分の拡開によりパンツ類のウエストサイズを拡張する伸縮ベルトと、拡開した前立て部分から露出する露出部を覆い隠すため着用する上下両端を開口にした袋状のカバーとからなるパンツ類のウエストサイズ調節補助具であって、
前記カバーが伸縮性を有する布地からなり、前身ごろの下端に略逆三角形状のフロントガード片を連続形成し、該前身ごろの身丈を、後身ごろの身丈よりも長くして、前記露出部を前記フロントガード片で覆い隠すようにしたことを特徴とする。
【０００９】
請求項３に記載のパンツ類のウェストサイズ調整補助具は、請求項１若しくは請求項２に記載の考案において、前記カバーの前身ごろ裏面にポケットを形成したことを特徴とする。
【考案の効果】
【００１０】
請求項１に記載のパンツ類のウェストサイズ調整補助具によれば、伸縮ベルトを２本のベルトをバックルで連結して構成したことから、該伸縮ベルトの全長を自在に伸縮することができる。そのため、妊娠時期、或いはウェストのサイズに合わせて、伸縮ベルトの長さを微調整することにより容易にパンツ類のウエストサイズを調整することができる。
また、上記伸縮ベルトを取り付けることにより拡開したパンツ類の前立て部分の露出部を、該伸縮ベルトと組み合わせて用いられるカバーで覆い隠すことにより露出部から露出している下着を隠すことができる。
さらに、ウェストサイズ調整補助具を伸縮ベルトとカバーとからなる簡易な構成としたので、コストを抑えることができる。
【００１１】
請求項２に記載のパンツ類のウェストサイズ調整補助具によれば、伸縮性を有する布地からなるカバーの前身ごろ下端に略逆三角形状のフロントガードを連続形成して、該フロントガードを拡開したパンツ類の前立て部分の露出部に重ね合わせることにより、該露出部から露出する下着を隠すことができる。
ここで、フロントガードを形成して前身ごろの身丈が後身ごろの身丈よりも長く構成されるカバーは、臨月に至り腹部が膨出した妊婦の下腹部をフロントガードで完全に覆うことができる。さらに、フロントガードは外部からの衝撃を緩衝して下腹部を保護すると共に該下腹部が冷えてしまうことを防ぐことができる。
また、妊娠初期においては、カバーを単独で使用し、さらに妊娠中期以降は伸縮ベルトを当該カバーと組み合わせて使用することにより、妊娠初期から臨月まで次第に拡張するウェストサイズに合わせて、パンツ類のウェストサイズを容易に調節することができる。
さらに、ウェストサイズ調整補助具を伸縮ベルトとカバーとからなる簡易な構成としたので、コストを抑えることができる。
【００１２】
請求項３に記載のパンツ類のウェストサイズ調整補助具によれば、カバーの前身ごろ裏面に形成したポケットは、例えば、使い捨てカイロ、或いは安産祈願のお守り等を収納することができる。そのため、該ポケットに使い捨てカイロを収納した場合には、下腹部が冷えてしまうことを防ぐことができ、一方、該ポケットにお守りを収納すれば、妊娠時期に不安定になりがちな精神状態をリラックスさせる効果が期待できる。
【実施例１】
【００１３】
本発明の実施例を添付した図面にしたがって説明する。ウェストサイズ調整補助具の概略構成を図１乃至図３に示す。
図１に示すように、ウェストサイズ調整補助具１０は、伸縮ベルト１１とカバー１２とからなり、伸縮ベルト１１は、図２に示すように、合繊製の平織紐からなる第１ベルト１５及び第２ベルト１６と、合成樹脂製のバックル１７から構成され、カバー１２は、図３に示すように、上下両端を開口にした袋状に形成されている。
【００１４】
伸縮ベルト１１を構成する第１ベルト１５は、一端１５ａにベルト側係止具となるボタン２０が取り付けられている。該ボタン２０は、ジーンズパンツや、スラックス等のパンツ４０の前立て部分４１の一側４１ａ上端部に設けられているパンツ側ボタンホール４４に係止される。なお、ベルト側係止具は、ボタンに限定されるものではなく、フック等の係止具を取り付けても良い。
そして、第２ベルト１６は、一端１６ａにベルト側被係止部となるボタンホール２１が形成されている。該ボタンホール２１には、パンツ４０の前立て部分４１の他側４１ｂ上端部に設けられているパンツ側ボタン４３が係止される。なお、ベルト側被係止部は、ボタンホールに限定されるものではなく、ループ等の被係止具を取り付けても良い。
【００１５】
バックル１７は、矩形状の外周枠２５と該外周枠２５内に設けた互いに平行な第１軸２８及び第２軸２９とからなる。外周枠２５は、縦枠２６と横枠２７とから構成されている。両軸２８，２９は縦枠２６と平行に配され、縦枠２６の外側面には耳状の把持部が形成されている。
バックル１７の表側は第１軸２８及び第２軸２９に複数の切り込みからなる滑り止めが形成され、バックル１７の裏側は、縦枠２６に複数の切り込みからなる滑り止めが形成されている。
【００１６】
バックル１７には、第１ベルト１５の他端１５ｂ側と第２ベルト１６の他端１６ｂ側が連結されている。
第１ベルト１５の他端１５ｂは、バックル１７の裏側から第１軸２８と第２軸２９の間に挿通され、第１軸２８で折り返し縦枠２６の下に潜らせて、縦枠２６の外側で第１ベルト１５の中間１５ｃと重ね合わされている。
また、第２ベルト１６の他端１６ｂは、バックル１７の裏側から第１軸２８と第２軸２９の間に挿通され、第２軸２９で折り返し縦枠２６の下に潜らせて、縦枠２６の外側で第２ベルト１６の中間１６ｃと重ね合わされている。
バックル１７の縦枠２６側の両端に通した第１ベルト１５の他端１５ｂと第２ベルト１６の他端１６ｂをそれぞれ出し入れすることにより、伸縮ベルト１１は、全長を自在に伸縮させることができる。
【００１７】
上下端が開口した袋状のカバー１２は、リブ編みによる伸縮性を備えた布地からなる。そのため、妊娠初期から臨月までのウェストサイズに対応させることができる。
そして、該カバー１２の前身ごろ３０下端は、略逆三角形状のフロントガード片３２が連続形成されている。カバー１２の前身ごろ３０の中心線に沿って、該フロントガード片３２の略逆三角形状の頂部は配され、カバー１２の前身ごろ３０の身丈は後身ごろ３１の身丈よりも長く形成されている。これにより、カバー１２でパンツ４０のウェスト近傍を覆ったときに、パンツ４０の拡開した前立て４１部分の露出部４２にフロントガード片３２が重ね合わされることになるので、該露出部４２に露出している下着をフロントガード片３２で覆い隠すことができる。
また、フロントガード片３２は、外部からの衝撃を緩衝して下腹部を当該衝撃から保護すると共に、該下腹部が冷えてしまうことを防ぐことができる。
さらに、カバー１２の前身ごろ３０裏面には、伸縮性を備えた布地からなるポケット３３が縫着されている。該ポケット３３には、例えば、使い捨てカイロやお守りを収納することができる。そして、使い捨てカイロを収納した場合には、カバー１２の前身ごろ３０が暖められるので、腹部が冷えてしまうことを防ぐことができる。また、お守りを収納したときには、妊娠時期に不安定になりがちな精神状態をリラックスさせることができる。
【００１８】
上記構成によるパンツ類のウェストサイズ調整補助具１０は、以下のように使用される。使用方法の概略説明図を図４乃至図６に示す。
【００１９】
図４に示すように、伸縮ベルト１１の第１ベルト１５に取り付けたボタン２０を、パンツ４０の前立て４１の一側４１ａ上端部のボタンホール４４にパンツ４０の裏側から係止する。
一方、第２ベルト１６に形成したボタンホール２１に、パンツ４０の前立て４１の他側４１ｂ上端部のボタン４３を第２ベルト１６の裏側から係止する。
このとき、第１ベルト１５の他端１５ｂと第２ベルト１６の他端１６ｂを、バックル１７の縦枠２６の下面付近に位置させて、伸縮ベルト１１の全長を最大にしておくことが望ましい。
上記のように、伸縮ベルト１１は、パンツ４０の前立て４１に取り付けられる。
【００２０】
次に、図５に示すように、バックル１７を挿通させた第１ベルト１５の他端１５ｂと第２ベルト１６の他端１６ｂを、縦枠２６外側に向かって引っ張って伸縮ベルト１１の長さを縮めて、所望のウェストサイズに調節する。また、当該他端１５ｂ，１６ｂを縦枠２６内側に押し込んで伸縮ベルトを延ばして調節することもできる。
このとき、縦枠２６外側に設けた把持部を摘んで引き上げることにより、縦枠２６下面に形成した滑り止めから第１ベルト１５及び第２ベルト１６が離れる。そのため、第１ベルト１５の他端１５ｂ又は第２ベルト１６の他端１６ｂの出し入れを容易に行うことができる。
【００２１】
そして、図６に示すように、パンツ４０に取り付けた伸縮ベルト１１とパンツ４０のウェスト部分近傍を覆うようにカバー１２を着装する。このときフロントガード片３２をパンツ４０の拡開した前立て４１の露出部４２に重ね合わせる。これにより、該露出部４２から露出している下着を覆い隠すことができる。
さらに、上着を着装し、該上着の裾をカバー１２に重ねることにより、カバー１２を隠すようにしても良い。この場合、風や階段の昇降等で該上着の裾部分が乱れたとしても、カバー１２及びフロントガード片３２によってパンツ４０の露出部４２から下着等が見えてしまうことはない。
【００２２】
一方、妊娠初期段階では、伸縮ベルト１１でパンツ４０のウェストサイズを拡張しなくとも、カバー１２がリブ編みにより伸縮性が具備された布地から構成されていることから、上記と同様にカバー１２でパンツ４０のウェスト部分を覆い、フロントガード片３２で拡開した前立て４１の露出部４２を覆い隠すことができる。
【００２３】
本実施例のウェストサイズ調整補助具１０によれば、伸縮ベルト１１の第１ベルト１５と第２ベルト１６の長さをそれぞれ調節することにより、容易に伸縮ベルト１１の長さを調節することができる。これにより、臨月に至るまで、伸縮ベルト１１でパンツ４０のウェストサイズを容易に調節することができる。
また、第１ベルト１５と第２ベルト１６をバックル１７で連結したことにより、バックル１７から垂れ下がるベルト他端１５ｂ，１６ｂ側の余剰分を、一本のベルトをバックルに通した場合よりも短くすることができる。そのため、妊娠初期から妊娠中期において、第１ベルト１５及び第２ベルト１６の他端１５ｂ，１６ｂ側が長めに引き出されるときであっても、バックル１７から垂れ下がる当該他端１５ｂ，１６ｂの見た目をすっきりさせることができる。
【００２４】
そして、カバー１２を伸縮ベルト１１とパンツ４０の上に重ね合わせ、パンツ４０の拡開した前立て４１の露出部４２をフロントガード片３２で覆い隠すようにしたことから、ファッション性を損なうことなく穿き慣れているジーンズパンツやスラックス等のパンツ類を着用することができる。
【００２５】
さらに、妊娠前に穿き慣れていたパンツ類のウェスト部分が閉まらなくなる妊娠中期以降も、本実施例のウェストサイズ調節補助具１０を使用することにより、当該パンツ類をそのまま穿き続けることができる。そのため、新たにマタニティドレスを購入しなくても良く、妊娠から出産にかかるコストを抑えることができる。
【図面の簡単な説明】
【００２６】
【図１】本実施例に係るパンツ類のウェストサイズ調整補助具を示す概略構成図である。
【図２】本実施例に係るパンツ類のウェストサイズ調整補助具の伸縮ベルトを示す斜視図である。
【図３】本実施例に係るパンツ類のウェストサイズ調整補助具のカバーを示す図である。
【図４】本実施例に係るパンツ類のウェストサイズ調整補助具の伸縮ベルトの取り付け方を説明する説明図である。
【図５】本実施例に係るパンツ類のウェストサイズ調整補助具の伸縮ベルトの長さの調節方法を説明する説明図である。
【図６】本実施例に係るパンツ類のウェストサイズ調整補助具の伸縮ベルトにカバーを重ね合わせた使用状態を示す説明図である。
【符号の説明】
【００２７】
１０…ウェストサイズ調整補助具、１１…伸縮ベルト、１２…カバー、
１５，１５ａ，１５ｂ，１５ｃ…第１ベルト、１６，１６ａ，１６ｂ，１６ｃ…第２ベルト、１７…バックル、
２０…ボタン、２１…ボタンホール、
２５…外周枠、２６…縦枠、２７…横枠、２８…第１軸、２９…第２軸、
３０…前身ごろ、３１…後身ごろ、３２…フロントガード片、３３…ポケット
４０…パンツ、４１，４１ａ，４１ｂ…前立て、４２…露出部、４３…パンツ側ボタン、４４…パンツ側ボタンホール。
【図１】
0003146031.tif 000003
【図２】
0003146031.tif 000004
【図３】
0003146031.tif 000005
【図４】
0003146031.tif 000006
【図５】
0003146031.tif 000007
【図６】
0003146031.tif 000008